(57)【要約】【課題】画像処理システムにおいて通信データ量の軽減とレスポンスの向上を図る。【解決手段】通信可能に接続された画像処理装置１１０と外部装置１２０とを備える画像処理システム１００において、画像処理装置１１０は、画像編集手段３０３、画像とその編集情報を記憶する記憶部２０３、記憶部２０３に記憶された所定の画像についての外部装置１２０での使用用途を外部装置１２０から取得する使用用途取得手段３０５、所定の画像について外部装置１２０が保持する保持情報を取得する保持情報取得手段３０６、及び、使用用途取得手段３０５が取得した使用用途と保持情報取得手段３０６が取得した保持情報とに基づいて外部装置１２０へ送信する通信情報を決定する通信情報決定手段３０８を備える。【選択図】図３
2019201284.tif 000002
【特許請求の範囲】
【請求項１】
通信可能に接続された第１の画像処理装置と第２の画像処理装置とを備える画像処理システムであって、
前記第１の画像処理装置は、
画像を編集する編集手段と、
画像と、該画像の前記編集手段による編集情報を記憶する記憶手段と、
前記記憶手段に記憶された所定の画像についての前記第２の画像処理装置での使用用途を前記第２の画像処理装置から取得する用途取得手段と、
前記所定の画像について前記第２の画像処理装置が保持する保持情報を取得する情報取得手段と、
前記用途取得手段が取得した使用用途と前記情報取得手段が取得した保持情報とに基づいて前記第２の画像処理装置へ送信する通信情報を決定する決定手段と、備えることを特徴とする画像処理システム。
【請求項２】
前記保持情報には、少なくとも前記第２の画像処理装置が保持する画像と、該画像についての編集情報と、が含まれることを特徴とする請求項１に記載の画像処理システム。
【請求項３】
前記第１の画像処理装置は、ＲＡＷ画像を現像する現像手段を有し、
前記決定手段は、
前記使用用途が前記所定の画像についてのＲＡＷ画像の編集であり、且つ、前記保持情報から前記第２の画像処理装置が前記ＲＡＷ画像を保持していない場合には、前記ＲＡＷ画像を前記通信情報に含め、
前記使用用途が前記所定の画像についてのＲＡＷ画像の編集ではなく、且つ、前記保持情報から前記第２の画像処理装置が前記所定の画像を保持していない場合には、前記現像手段により生成された画像を前記通信情報に含めることを特徴とする請求項２に記載の画像処理システム。
【請求項４】
前記第１の画像処理装置は、
前記所定の画像についての前記編集手段による編集情報と前記情報取得手段が取得した編集情報とを比較する比較手段を有し、
前記決定手段は、前記比較手段が比較した編集情報に差異がある場合に、前記所定の画像についての編集情報を前記通信情報に含めることを特徴とする請求項２又は３に記載の画像処理システム。
【請求項５】
外部装置と通信する通信手段と、
画像を編集する編集手段と、
画像と、該画像の前記編集手段による編集情報を記憶する記憶手段と、
前記記憶手段に記憶された所定の画像についての前記外部装置での使用用途を前記外部装置から取得する用途取得手段と、
前記所定の画像について前記外部装置が保持する編集情報を前記外部装置から取得する情報取得手段と、
前記用途取得手段が取得した使用用途と前記情報取得手段が取得した保持情報に基づいて前記外部装置へ送信する通信情報を決定する決定手段と、を備えることを特徴とする画像処理装置。
【請求項６】
ＲＡＷ画像を現像する現像手段を有し、
前記決定手段は、
前記使用用途が前記所定の画像についてのＲＡＷ画像の編集であり、且つ、前記保持情報から前記外部装置が前記ＲＡＷ画像を保持していない場合には、前記ＲＡＷ画像を前記通信情報に含め、
前記使用用途が前記所定の画像についてのＲＡＷ画像の編集ではなく、且つ、前記保持情報から前記外部装置が前記所定の画像を保持していない場合には、前記現像手段により生成された画像を前記通信情報に含めることを特徴とする請求項５に記載の画像処理装置。
【請求項７】
前記画像処理装置は、
前記所定の画像についての前記編集手段による編集情報と前記情報取得手段が取得した編集情報とを比較する比較手段を有し、
前記決定手段は、前記比較手段が比較した編集情報に差異がある場合に、前記所定の画像についての編集情報を前記通信情報に含めることを特徴とする請求項５又は６に記載の画像処理装置。
【請求項８】
画像処理装置の制御方法であって、
外部装置との通信を同期させるステップと、
前記画像処理装置の記憶手段に記憶された所定の画像についての前記外部装置での使用用途を前記外部装置から取得するステップと、
前記所定の画像について前記外部装置が保持する編集情報を前記外部装置から取得するステップと、
取得した前記使用用途と前記編集情報に基づいて前記外部装置へ送信する通信情報を決定するステップと、
決定された前記通信情報を前記外部装置へ送信するステップと、を有することを特徴とする画像処理装置の制御方法。
【請求項９】
請求項８に記載の画像処理装置の制御方法の各ステップをコンピュータに実行させることを特徴とするプログラム。
【発明の詳細な説明】
【技術分野】
【０００１】
本発明は、画像処理システム、画像処理装置及びその制御方法並びにプログラムに関する。
【背景技術】
【０００２】
近年、モバイル端末の普及と性能の向上に伴い、モバイル端末上で画像の閲覧や編集を行うユーザが増えている。例えば、特許文献１には、撮像装置で撮影したＲＡＷ画像を縮小してモバイル端末へ送信し、モバイル端末でＲＡＷ画像の編集を行った後にその編集情報を取得することによって、撮像装置が保持する画像への編集結果の適用を可能とする技術が記載されている。また、パーソナルコンピュータ（ＰＣ）とモバイル端末とで通信を行って各機器での画像の編集状態等を同期させることで、家ではＰＣを、外出先ではモバイル端末を用いる等、環境に適した状態で画像閲覧や編集をシームレスに行うことが可能となっている。
【先行技術文献】
【特許文献】
【０００３】
【特許文献１】特開２０１６−６３２５１号公報
【発明の概要】
【発明が解決しようとする課題】
【０００４】
しかしながら、一般的にＲＡＷ画像はデータサイズが大きいため、モバイル端末でＲＡＷ画像を取得する際には通信データ量が増大する。また、モバイル端末にはデータ記憶容量が小さく、演算処理能力が高くないものも少なくない。そのため、モバイル端末での記憶容量が圧迫されること等が問題となってくる。また、画像編集を行わずに単にモバイル端末に画像データを保存して鑑賞したいユーザにとっては、モバイル端末でＲＡＷ画像を現像して表示させた場合には、現像処理での処理負荷が大きくなるために画像表示のレスポンスが低下してしまう。
【０００５】
本発明は、通信データ量の軽減とレスポンスの向上を可能とする画像処理システムを提供することを目的とする。
【課題を解決するための手段】
【０００６】
本発明に係る画像処理システムは、通信可能に接続された第１の画像処理装置と第２の画像処理装置とを備える画像処理システムであって、前記第１の画像処理装置は、画像を編集する編集手段と、画像と、該画像の前記編集手段による編集情報を記憶する記憶手段と、前記記憶手段に記憶された所定の画像についての前記第２の画像処理装置での使用用途を前記第２の画像処理装置から取得する用途取得手段と、前記所定の画像について前記第２の画像処理装置が保持する保持情報を取得する情報取得手段と、前記用途取得手段が取得した使用用途と前記情報取得手段が取得した保持情報とに基づいて前記第２の画像処理装置へ送信する通信情報を決定する決定手段と、備えることを特徴とする。
【発明の効果】
【０００７】
本発明によれば、通信データ量の軽減とレスポンスの向上を実現することができる。
【図面の簡単な説明】
【０００８】
【図１】実施形態に係る画像処理システムの概略構成を示すブロック図である。
【図２】画像処理システムを構成する画像処理装置の構成を示すブロック図である。
【図３】画像処理装置が備える処理手段を説明する図である。
【図４】画像処理装置で実行される処理のフローチャートである。
【図５】画像処理装置の通信情報決定手段が実行する処理のフローチャートである。
【図６】画像処理装置の通信情報決定手段が外部装置へ送信する送信データを決定する際に用いるテーブルの一例を示す図である。
【発明を実施するための形態】
【０００９】
以下、本発明の実施形態について、添付図面を参照して詳細に説明する。図１は、本発明の実施形態に係る画像処理システム１００の概略構成を示すブロック図である。画像処理システム１００は、第１の画像処理装置としての画像処理装置１１０と、第２の画像処理装置としての外部装置１２０を有する。画像処理装置１１０と外部装置１２０は、通信可能に接続され、通信同期を行うことで同等の画像（画像処理装置１１０又は外部装置１２０で画像処理が施された画像を含む）をユーザに提示することを可能とする。例えば、画像処理装置１１０はＰＣであり、外部装置１２０はタブレットＰＣ又はスマートフォン等のモバイル端末であるが、これらに限定されるものではない。画像とは、画像のデジタルデータ（画像データ）が画面上に画像として再生されたものを指す。
【００１０】
図２は、画像処理装置１１０の概略構成を示すブロック図である。画像処理装置１１０は、ＣＰＵ２０１、メモリ２０２、記憶部２０３、通信部２０４、入力部２０５及び表示部２０６を備える。なお、外部装置１２０は画像処理装置１１０と同様の構成を有しており、以下の画像処理装置１１０の構成についての説明は、外部装置１２０の構成についても適用される。
【００１１】
ＣＰＵ２０１は、記憶部２０３に記憶された所定のプログラム等をメモリ２０２に展開することにより画像処理装置１１０が備える各部の動作を統括的に制御する。メモリ２０２は、例えば、ＲＡＭである。記憶部２０３は、例えば、ハードディスク（ＨＤＤ）やＲＯＭ等であり、画像処理装置１１０を動作させるための各種のプログラムや画像編集ソフトウェア（アプリケーション）、画像データ、画像編集情報等を記憶する。
【００１２】
通信部２０４は、外部装置１２０との間での双方向通信によるデータの送受信を可能とするインタフェースである。通信部２０４と外部装置１２０とを通信可能に接続する方法は、限定されるものではなく、無線通信か有線通信かを問わず、公知の通信技術を用いることができる。なお、画像処理装置１１０と外部装置１２０とは、インターネットやＬＡＮ等のネットワーク上に存在するサーバを介して通信可能に接続されていてもよい。入力部２０５は、キーボードやポインティングデバイス（例えば、マウス、トラックボール、タッチパネル等）を含み、ユーザからの操作を受け付ける。表示部２０６は、例えば、液晶ディスプレイ（ＬＣＤ）であり、ＧＵＩ画面や画像を表示する。
【００１３】
図３は、画像処理装置１１０が備える処理手段を説明する図である。図３に示す各種の処理手段は、ＣＰＵ２０１が記憶部２０３に記憶された所定のプログラム等をメモリ２０２に展開して、ＣＰＵ２０１自らが処理手段となり又は画像処理装置１１０の各部がＣＰＵ２０１からの指令に従って所定の動作を行うことにより実現される。
【００１４】
画像処理装置１１０は、画像読込手段３００、現像処理手段３０１、画像表示手段３０２、画像編集手段３０３、通信手段３０４、使用用途取得手段３０５、保持情報取得手段３０６、編集情報比較手段３０７及び通信情報決定手段３０８を有する。
【００１５】
画像読込手段３００は、記憶部２０３からＲＡＷ画像（ＲＡＷ形式の画像データ）を読み込む。現像処理手段３０１は、画像読込手段３００が読み込んだＲＡＷ画像に対して現像処理を行い、表示用画像（例えば、表示用ＪＰＥＧ画像）を生成する。画像表示手段３０２は、現像処理手段３０１で生成された表示用画像を表示部２０６に表示する。画像編集手段３０３は、入力部２０５によりユーザからの画像編集操作を受け付け、受け付けた画像編集（画像処理）を実行し、画像編集後の画像とその編集情報を記憶部２０３に記憶する。なお、画像編集手段３０３により編集可能な項目としては、色補間、ホワイトバランス、ガンマ補正、ノイズ低減、レンズ補正、角度調整、レーティング付加、ラベル付加等が挙げられる。但し、画像編集手段３０３が実行可能な処理は、これらに限られるものではなく、画像データ又は画像ファイルに対して実行される処理であれば何でもよい。
【００１６】
通信手段３０４は、通信部２０４を通じて外部装置１２０とデータの送受信を行う。使用用途取得手段３０５は、通信手段３０４により外部装置１２０のユーザの使用用途を取得する。本実施形態では、使用用途は「ＲＡＷ画像の編集」と「その他」の二種類で分類するものとするが、「ＲＧＢ編集」や「画像閲覧」等の用途を加える等して、より詳細に分類してもよい。保持情報取得手段３０６は、通信手段３０４により外部装置１２０の保持情報を取得する。本実施形態では、保持情報は「保持している画像の種類」及び「編集情報」とするが、その他の必要な情報の取得も可能となっている。
【００１７】
編集情報比較手段３０７は、画像編集手段３０３により記憶部２０３に記憶された編集情報と保持情報取得手段３０６により取得された編集情報とを比較し、その差異を検出する。その際に比較される情報は、画像編集手段３０３で編集可能とした項目である。通信情報決定手段３０８は、使用用途取得手段３０５により取得された使用用途と、保持情報取得手段３０６で取得した保持情報と、編集情報比較手段３０７による比較結果に応じて、外部装置１２０に送信する情報を決定する。
【００１８】
画像処理システム１００では、例えば、撮像装置（不図示）で撮影された撮影画像のＲＡＷ形式やＪＰＥＧ形式の画像データ等が、カードリーダ等を用いて画像処理装置１１０へ送られて画像処理装置１１０に記憶されているものとする。画像処理装置１１０は、記憶した撮影画像のＲＡＷ形式やＪＰＥＧ形式の画像データを更に画像処理した後の画像データとその画像処理の内容（編集情報）を記憶している場合がある。一方、外部装置１２０は、同じ撮像装置から無線通信等を利用して所定の画像データを取得して記憶している場合がある。また、外部装置１２０は、以下に説明する図４及び図５のフローに従って所定の画像データや編集情報を画像処理装置１１０から取得して保持している場合がある。更に、外部装置１２０は、画像処理装置１１０での画像処理と異なる画像処理を自装置で行った後の画像データとその編集情報を記憶している場合がある。このような状況下で、以下に説明する図４及び図５のフローチャートに従う処理が行われる。
【００１９】
図４は、画像処理システム１００における画像処理装置１１０での動作（制御方法）を説明するフローチャートである。図４にＳ番号で示す各処理（ステップ）は、図３に示した各手段が協調して処理を実行することにより実現される。
【００２０】
Ｓ４０１では通信手段３０４は、ユーザによる入力部２０５に対する操作により、外部装置１２０との通信を同期させる指示を受け付けたか否かを判定する。例えば、画像処理装置１１０において所定の画像編集ソフトウェア（アプリケーション）が起動すると、同期可能なアプリケーションを有する外部装置１２０との通信を同期させるか否かをユーザに選択させるための選択画面が表示部２０６に表示される。ユーザは、選択画面に対して入力部２０５を操作して、画像処理装置１１０のアプリケーションと外部装置１２０のアプリケーションとを同期させるか否かを選択する。通信手段３０４は、通信を同期させる指示を受けたと判定した場合（Ｓ４０１でＹＥＳ）、処理をＳ４０２へ進め、通信を同期させない指示を受けたと判定した場合（Ｓ４０１でＮＯ）、本処理を終了させる。
【００２１】
外部装置１２０との通信が同期されると、Ｓ４０２では使用用途取得手段３０５が、外部装置１２０から使用用途を取得する。Ｓ４０３では保持情報取得手段３０６が、外部装置１２０から保持情報を取得する。Ｓ４０４では通信情報決定手段３０８が、外部装置１２０への送信データ（通信情報）を決定する。なお、Ｓ４０４の処理の詳細については、図５を参照して後述する。Ｓ４０５では通信手段３０４が、Ｓ４０４で決定した通信情報を外部装置１２０へ送信し、これにより本処理は終了する。
【００２２】
図５は、Ｓ４０４での通信情報決定処理のフローチャートである。Ｓ５０１では通信情報決定手段３０８が、Ｓ４０２で取得した使用用途がＲＡＷ画像の編集か否かを判定する。通信情報決定手段３０８は、使用用途がＲＡＷ画像の編集であると判定した場合（Ｓ５０１でＹＥＳ）、処理をＳ５０２へ進める。Ｓ５０２では通信情報決定手段３０８は、外部装置１２０がＲＡＷ画像を保持しているか否かをＳ４０３で取得した保持情報に基づいて判定する。通信情報決定手段３０８は、外部装置１２０がＲＡＷ画像を保持していると判定した場合（Ｓ５０２でＹＥＳ）、処理をＳ５０３へ進める。
【００２３】
Ｓ５０３では編集情報比較手段３０７が、Ｓ４０３で取得した保持情報に含まれる編集情報と画像編集手段３０３により記憶部２０３に記憶された編集情報とを比較し、各編集情報に差異があるか否かを判定する。編集情報比較手段３０７は、各編集情報に差異があると判定した場合（Ｓ５０３でＹＥＳ）、処理をＳ５０４へ進め、各編集情報に差異がないと判定した場合（Ｓ５０３でＮＯ）、処理をＳ５０５へ進める。
【００２４】
Ｓ５０４では通信情報決定手段３０８が、画像編集手段３０３により記憶部２０３に記憶された編集情報を外部装置１２０へ送信する通信情報（送信データ）に決定し、これにより本処理を終了させる。つまり、Ｓ５０４に至る場合、ＲＡＷ画像の編集を目的としており、且つ、外部装置１２０は既にＲＡＷ画像を保持しているため、ＲＡＷ画像を外部装置１２０へ送信する必要はない。但し、各編集情報には差異があるため、画像処理装置１１０での編集情報を外部装置１２０へ送信する必要がある。よって、画像処理装置１１０が保持している編集情報を外部装置１２０へ送信するようにしている。
【００２５】
Ｓ５０５では通信情報決定手段３０８は、外部装置１２０へ送信するデータはないものと決定し、これにより本処理を終了させる。つまり、Ｓ５０５に至る場合、ＲＡＷ画像の編集を目的としており、且つ、外部装置１２０は既にＲＡＷ画像を保持しているため、ＲＡＷ画像を外部装置１２０へ送信する必要はない。また、各編集情報にも差異はないため、画像処理装置１１０での編集情報を外部装置１２０へ送信する必要もない。よって、画像処理装置１１０から外部装置１２０へ送信する必要のあるデータはないことになる。
【００２６】
通信情報決定手段３０８は、Ｓ５０２の判定において外部装置１２０がＲＡＷ画像を保持していないと判定した場合（Ｓ５０２でＮＯ）、処理をＳ５０６へ進める。Ｓ５０６では通信情報決定手段３０８は、画像処理装置１１０が保持しているＲＡＷ画像とその編集情報を送信データに決定し、これにより本処理を終了させる。つまり、Ｓ５０６へ至る場合、外部装置１２０でＲＡＷ画像の編集を行うことを目的としているが、外部装置１２０はそのＲＡＷ画像を保持していないため、画像処理装置１１０はＲＡＷ画像とその編集情報を外部装置１２０へ送信する。
【００２７】
なお、外部装置１２０における画像処理能力が低い場合や画像データ等の記憶容量が小さい場合には、Ｓ５０６では、ＲＡＷ画像に代えて、画像処理装置１１０においてデータサイズを縮小させたＲＡＷ画像を外部装置１２０へ送信する構成としてもよい。これにより、外部装置１２０での処理負荷を軽減と送受信データ量の低減を図ることができる。
【００２８】
通信情報決定手段３０８は、Ｓ５０１において使用用途がＲＡＷ画像の編集ではないと判定した場合（Ｓ５０１でＮＯ）、処理をＳ５０７へ進める。Ｓ５０７では通信情報決定手段３０８は、外部装置１２０が表示用画像を保持しているか否かを、Ｓ４０３で取得した保持情報に基づいて判定する。通信情報決定手段３０８は、外部装置１２０が表示用画像を保持していると判定した場合（Ｓ５０７でＹＥＳ）、処理をＳ５０８へ進める。
【００２９】
Ｓ５０８では編集情報比較手段３０７が、Ｓ４０３で取得した保持情報に含まれる編集情報と画像編集手段３０３により記憶部２０３に記憶された編集情報とを比較し、各編集情報に差異があるか否かを判定する。編集情報比較手段３０７は、各編集情報に差異があると判定した場合（Ｓ５０８でＹＥＳ）、処理をＳ５０９へ進める。
【００３０】
Ｓ５０９では編集情報比較手段３０７が、Ｓ５０８で比較した編集情報における差異が画像処理に関する編集項目か否かを判定する。ここでは、画像処理に関する編集項目とは、色補間、ホワイトバランス、ガンマ補正、ノイズ低減、レンズ補正、角度調整であるとするが、これらに限定されるものではなく、また、これらのうちの一部であってもよい。編集情報比較手段３０７は、差異が画像処理に関する編集項目であると判定した場合（Ｓ５０９でＹＥＳ）、処理をＳ５１０へ進め、差異が画像処理に関する編集項目ではないと判定した場合（Ｓ５０９でＮＯ）、処理をＳ５１１へ進める。
【００３１】
Ｓ５１０では通信情報決定手段３０８は、画像処理装置１１０が保持している表示用画像とその編集情報を送信データに決定し、これにより本処理を終了させる。つまり、Ｓ５１０へ至る場合、外部装置１２０ではＲＡＷ画像の編集を行わないためにＲＡＷ画像を外部装置１２０へ送信する必要はないが、画像処理に関する編集項目に差異がある。そこで、画像処理装置１１０は、現像処理手段３０１により生成した表示用画像とその編集情報を外部装置１２０へ送信するようにしている。なお、本実施形態では、ＲＡＷ画像ではなく、画像処理装置１１０で表示用画像を生成して外部装置１２０へ送信する構成としている。これにより、外部装置１２０でのＲＡＷ画像の取得と現像が不要になることで、通信データ量を低減させることができると共に、外部装置１２０での処理負荷を軽減させることができる。
【００３２】
Ｓ５１１では通信情報決定手段３０８は、画像処理装置１１０が保持している表示用画像の編集情報を送信データに決定し、これにより本処理を終了させる。つまり、Ｓ５１１へ至る場合、外部装置１２０でＲＡＷ画像の編集は行わないためにＲＡＷ画像を外部装置１２０へ送信する必要はなく、また、画像処理に関する編集項目にも差異がないため、表示用画像を外部装置１２０へ送信する必要もない。但し、各編集情報には差異があるため、表示用画像に関する編集情報を外部装置１２０へ送信する必要がある。
【００３３】
編集情報比較手段３０７は、Ｓ５０８の判定において各編集情報に差異はないと判定した場合（Ｓ５０８でＮＯ）、処理をＳ５１２へ進める。Ｓ５１２では通信情報決定手段３０８は、外部装置１２０へ送信するデータはないものと決定し、これにより本処理を終了させる。Ｓ５１２に至る場合、外部装置１２０でＲＡＷ画像の編集は行わないためにＲＡＷ画像を外部装置１２０へ送信する必要はない。また、各編集情報にも差異はないため、画像処理装置１１０での編集情報を外部装置１２０へ送信する必要もない。よって、画像処理装置１１０から外部装置１２０へ送信する必要のあるデータはないことになる。
【００３４】
通信情報決定手段３０８は、Ｓ５０７の判定において外部装置１２０が表示用画像を保持していないと判定した場合（Ｓ５０７でＮＯ）、処理をＳ５１３へ進める。Ｓ５１３では通信情報決定手段３０８は、表示用画像とその編集情報を送信データに決定し、これにより本処理を終了させる。Ｓ５１３に至る場合、外部装置１２０でＲＡＷ画像の編集は行わないためにＲＡＷ画像を外部装置１２０へ送信する必要はない。しかし、外部装置１２０には表示用画像が存在しないために表示用画像を送信する必要があり、表示用画像に対応する編集情報を送信する必要がある。ここでも、Ｓ５１０について説明したように、ＲＡＷ画像に代えて画像処理装置１１０で生成した表示用画像を外部装置１２０へ送信することで、通信データ量の低減と外部装置１２０での処理負荷の軽減を図ることができる。
【００３５】
なお、図６は、通信情報決定手段３０８が外部装置１２０へ送信する通信情報（送信データ）を決定する際に用いるテーブルの一例を示す図である。画像処理装置１１０の通信情報決定手段３０８は、図６に示すようなテーブルを保持しておき、画像処理装置１１０と外部装置１２０のそれぞれで動作するアプリケーションの組み合わせと動作状況に応じて、通信情報を決定する。
【００３６】
なお、図６に示す外部装置の使用用途に示される各種の処理のうち、セレクト編集モードとは、サムネイル表示と編集画面を組み合わせた画面で、編集する画像を素早く切り替えながら効率よく編集を行うモードである。また、クイックチェックモードとは、一覧表示されている画像の中から選択した画像を大きく表示して、写り具合を効率的にチェックすることを可能とする閲覧方法である。マルチレイアウトは、複数のレイアウトパターンの中から選択されたレイアウトで複数の画像を表示する閲覧方法であり、サムネイルレイアウトもこれに準ずる。リモート撮影モードは、例えば、スマートフォン（外部装置）で撮像装置（画像処理装置）をリモート操作してライブビュー画像を取得し、また、撮像装置の撮影条件を設定し、レリーズ制御により撮影を行う画像取得方法である。画像処理装置のアプリケーションでの編集内容については、周知であるため、説明を省略する。
【００３７】
以上の説明の通り、本実施形態では、ユーザが外部装置１２０で使用する画像の用途及び外部装置１２０での画像の保持情報に応じて、画像処理装置１１０と外部装置１２０との間で通信するデータの種類を切り替える。これにより、必要最小限のデータのみが送受信され、不要なデータの送受信が行われなくなることで、通信データ量を低減させることが可能となる。また、外部装置１２０がＲＡＷ画像を必要としない場合、画像処理装置１１０から外部装置１２０へ表示用画像を送信する構成とすることにより、外部装置１２０での現像処理が不要となる。これにより、外部装置１２０での編集処理に対するレスポンスを向上させることができる。
【００３８】
以上、本発明をその好適な実施形態に基づいて詳述してきたが、本発明はこれら特定の実施形態に限られるものではなく、この発明の要旨を逸脱しない範囲の様々な形態も本発明に含まれる。本発明は、上述した実施形態の１以上の機能を実現するプログラムをネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【符号の説明】
【００３９】
１００    画像処理システム
１１０    画像処理装置
１２０    外部装置
２０３    記憶部
３０１    現像処理手段
３０３    画像編集手段
３０４    通信手段
３０５    使用用途取得手段
３０６    保持情報取得手段
３０７    編集情報比較手段
３０８    通信情報決定手段
【図１】
2019201284.tif 000003
【図２】
2019201284.tif 000004
【図３】
2019201284.tif 000005
【図４】
2019201284.tif 000006
【図５】
2019201284.tif 000007
【図６】
2019201284.tif 000008